(57)【要約】      （修正有）【課題】ハウス室温を効果的に低下できる農芸用ビニールハウス１０の換気構造を提供すること。【解決手段】ハウス１０の内部空間を屋根裏空間Ｓ１（Ｓ１ａ，Ｓ１ｂ）と、その下部空間Ｓ２に区画するようにビニールシート２８，２９を張設し、屋根裏空間Ｓ１ａの一側に同空間Ｓ１中の空気をハウス外部に排出する換気ファン２４を設け、屋根裏空間Ｓ１ｂの他側を下部空間Ｓ２に連通し、下部空間Ｓ２の反連通側に外気導入口２５を設ける。そして好ましくは、前記屋根裏空間Ｓ１と下部空間Ｓ２との連通部に下部空間Ｓ２からから屋根裏空間Ｓ１への空気の流れを許容し、その逆方向の流れを阻止する逆止手段３０，３１を設ける。【選択図】図５
2007189941.tif 000002
【特許請求の範囲】
【請求項１】
ハウスの内部空間を屋根裏空間と、その下部空間に区画するようにビニールシートを張設し、屋根裏空間の一側に同空間中の空気をハウス外部に排出する換気ファンを設け、屋根裏空間の他側を下部空間に連通し、下部空間の反連通側に外気導入口を設けたことを特徴とする農芸用ビニールハウス。
【請求項２】
前記屋根裏空間と下部空間との連通部に下部空間から屋根裏空間への空気の流れを許容し、その逆方向の流れを阻止する逆止手段を設けたことを特徴とする請求項１に記載の農芸用ビニールハウス。
【発明の詳細な説明】
【技術分野】
【０００１】
本発明は農芸用ビニールハウスの換気構造に関する。
【背景技術】
【０００２】
一般に農芸用ビニールハウスは、多数の門型パイプフレームを並列に地面に立設してハウスの骨組を構成し、骨組の上からビニールシートを張設して組み立てられている。
この種の農芸用ビニールハウスでは、ハウスの屋根裏空間に熱気が滞留し易く、熱気が農芸作物に悪影響を及ぼすのを防止するため、屋根裏空間に近接する位置に換気ファンを設けて熱気をハウス室外に排出している。
【特許文献１】特開平５−１５２６０
【発明の開示】
【発明が解決しようとする課題】
【０００３】
しかし、単に換気ファンを設けるだけでは、ファンを稼働して屋根裏空間の熱気を室外に排出する際にハウス室内全体の空気が攪拌され、屋根裏空間の熱気がハウス室内全体に拡散するため効果的にハウス室温を低下させることができず、室温の分布にムラが生じる。
本発明はかかる問題点に鑑み、ハウス室温をムラなく効果的に低下できる農芸用ビニールハウスの換気構造を提供することを目的とする。
【課題を解決するための手段】
【０００４】
上記目的を達成するため本発明に係る農芸用ビニールハウスの換気構造は、ハウスの内部空間を屋根裏空間と、その下部空間に区画するようにビニールシートを張設し、屋根裏空間の一側に同空間中の空気をハウス外部に排出する換気ファンを設け、屋根裏空間の他側を下部空間に連通し、下部空間の反連通側に外気導入口を設ける。
そして好ましくは、前記屋根裏空間と下部空間との連通部に下部空間から屋根裏空間への空気の流れを許容し、その逆方向の流れを阻止する逆止手段を設ける。
【発明の効果】
【０００５】
本発明の換気構造によれば、換気ファンを稼働して屋根裏空間の熱気をハウス外部へ排出すると、それに伴い外気が導入口からハウスの下部空間に流入し、下部空間中を導入口から屋根裏空間との連通部へと流れ、さらに連通部から屋根裏空間を通って換気ファンへと吸引され、ハウス外部へ排出される。すなわち、換気ファンの稼働に伴い外気導入口→下部空間→連通部→屋根裏空間→換気ファン→ハウス外部という空気の流れが生じる。このため、屋根裏空間の熱気がハウス全体に拡散することなく、ハウス外部に排出されるので、ハウス室内の温度が場所むらなく均等に低下する。また、ビニールシートによって仕切られた屋根裏空間の空気層による断熱効果により冬季に下部空間の室温が低下するのを防止できる。
また、屋根裏空間と下部空間の連通部に逆止手段を設けることにより、換気ファンの停止時に屋根裏空間の熱気が連通部を通って下部空間へ流入するのを防止できる。
【発明を実施するための最良の形態】
【０００６】
各種パイプで構成したハウス骨格の外側全体にビニールシートを張設する。ハウス室内にビニールシートを張設して室内空間を屋根裏空間と下部空間に区画し、さらに屋根裏空間にビニールシートを張設して屋根裏空間を上層屋根裏空間と下層屋根裏空間に区画する。上層屋根裏空間の一側に換気ファンを設置し、他側を下層屋根裏空間に連通する。上層屋根裏空間と下層屋根裏空間の連通部に第１ダンパーを設置する。第１ダンパーは下層屋根裏空間から上層屋根裏空間への空気の流れを許容し、逆方向の空気流れを阻止する逆止手段として作動する。下層屋根裏空間の反第１ダンパー側を下部空間に連通し、連通部には第２ダンパーを設置する。第２ダンパーは下部空間から下層屋根裏空間への空気流れを許容し、逆方向の空気流れを阻止する。下部空間の反第２ダンパー側に外気導入口を設ける。
【実施例１】
【０００７】
以下に本発明を図面に基づき説明するに、図１には本発明の第１実施例に係る農芸用ビニールハウス１０が示されている。当該ビニールハウス１０は複数本の門型パイプ１１、左右対を成す第１横パイプ１２、第２横パイプ１３及び第３横パイプ１４、縦パイプ１５、棟パイプ１６、第１中間パイプ１７、第２中間パイプ１８、第１梁パイプ１９、第２梁パイプ２０、第３梁パイプ２１、第４梁パイプ２２、左右２本のベースプレート２３、換気ファン２４、外気導入口２５、ドア２６を備えている。
【０００８】
各ベースプレート２３は断面Ｌ字形を有し、底面の長手方向に沿って一定間隔で貫通穴（図２参照）が形成されている。ビニールハウス１０のハウス骨格は、門型パイプ１１を地面に敷設したベースプレート２３の貫通穴２３ａに挿入立設し、ベースプレート２３に沿って貫通穴２３ａの間隔で並ぶ門型パイプ１１の列を形成し、門型パイプ間に棟パイプ１６と第１、第２及び第３横パイプ１２，１３，１４を平行に架設して門型パイプ１１の列を連結して構成されている。
【０００９】
図２に示すように、棟パイプ１６は門型パイプ１１を構成するアーチパイプ１１ａの頂部内側に固着され、棟パイプ１６から縦パイプ１５が垂設されている。そして、縦パイプ１５に第１中間パイプ１７と第２中間パイプ１８が固着され、棟パイプ１６と平行に延びている。
【００１０】
第１梁パイプ１９は左側の第１横パイプ１２と右側の第３横パイプ１４間に架設され、第２梁パイプ２０は右側の第１横パイプ１２と左側の第３横パイプ１４間に架設されている。第３梁パイプ２１は右側の第３横パイプ１４と第２中間パイプ１８間に架設され、第４梁パイプ２２は左側の第３横パイプ１４と第２中間パイプ１８間に架設されている。
【００１１】
図３及び図４に、第１梁パイプ１９、第２梁パイプ２０、縦パイプ１５及び第１中間パイプ１７との交差部分の構造の詳細を示す。第１梁パイプ１９は短尺第１梁パイプ１９ａと長尺第１梁パイプ１９ｂから成る。同じく第２梁パイプ２０は短尺第２梁パイプ２０ａと長尺第２梁パイプ２０ｂから成る。縦パイプ１５は上側縦パイプ１５ａと下側縦パイプ１５ｂから成る。
【００１２】
短尺第１梁パイプ１９ａの先端はプレス加工により断面形状が半円形のフック部１９ｃとフック部１９ｃの前後両側（パイプ長手方向における前後両側）にプレート部１９ｄ，１９ｅが成形されている。そして、各プレート部１９ｄ，１９ｅにはネジ穴１９ｆと、その横に貫通穴１９ｇが対を成して形成されている。同じく、長尺第１梁パイプ１９ｂ、短尺第２梁パイプ２０ａ、長尺第２梁パイプ２０ｂ、上側縦パイプ１５ａ、下側縦パイプ１５ｂのそれぞれについても先端部にフック部、前後のプレート部、ネジ穴、貫通穴が形成されている。
【００１３】
第１梁パイプ１９は、短尺第１梁パイプ１９ａのフック部１９ｃを第１中間パイプ１７に下から掛止し、長尺第１梁パイプ１９ｂのフック部１９ｃを第１中間パイプ１７に上から掛止し、短尺、長尺両第１梁パイプ１９ａ，１９ｂのプレート部１９ｄ，１９ｅの貫通穴１９ｇから対向するプレート部１９ｄ，１９ｅのネジ穴１９ｆにビス１９ｈを通して両フック部１９ｃを第１中間パイプ１７に締め付けることにより第１中間パイプ１７を介して短尺第１梁パイプ１９ａと長尺第１梁パイプ１９ｂを連結している。同様にして短尺第２梁パイプ２０ａと長尺第２梁パイプ２０ｂを連結し、上側縦パイプ１５ａと下側縦パイプ１５ｂを連結している。図示しないが、第３梁パイプ２１と第２中間パイプ１８及び第４梁パイプ２２と第２中間パイプ１８も同様にしてフック部を第２中間パイプ１８に締め付けて連結されている。
【００１４】
当該ビニールハウス１０の全体の骨格は以上説明したように、複数本の門型パイプ１１、左右対を成す第１、第２及び第３横パイプ１２，１３，１４、縦パイプ１５、棟パイプ１６、第１、第２中間パイプ１７，１８、第１、第２、第３、第４梁パイプ１９〜２２から構成され、ビニールハウス１０の骨格のうち屋根裏部分の骨格が門型パイプ１１のアーチパイプ１１ａと左右対を成す第１、第２及び第３横パイプ１２，１３，１４、縦パイプ１５、棟パイプ１６、第１、第２中間パイプ１７，１８、第１、第２、第３、第４梁パイプ１９〜２２から構成される。そして、正面中央上部に換気ファン２４が取り付けられ、背面中央下部に外気導入口２５が取り付けられている。また、側面の正面側にドア２６が取り付けらる。
【００１５】
各種パイプで構成したハウス骨格の外側全体にビニールシート２７が張設される。また、図２に示すように第３梁パイプ２１と第４梁パイプ２２にビニールシート２８を張設してハウス室内空間を屋根裏空間Ｓ１と下部空間Ｓ２に区画し、さらに長尺第１梁パイプ１９ｂと長尺第２梁パイプ２０ｂにビニールシート２９を張設して屋根裏空間Ｓ１を上層屋根裏空間Ｓ１ａと下層屋根裏空間Ｓ１ｂに区画する。
【００１６】
図５にビニールシート２８，２９で区画された下部空間Ｓ２、上層屋根裏空間Ｓ１ａ、下層屋根裏空間Ｓ１ｂを模式的に図示する。上層屋根裏空間Ｓ１ａの一側には換気ファン２４が設置され、他側が下層屋根裏空間Ｓ１ｂに連通している。上層屋根裏空間Ｓ１ａと下層屋根裏空間Ｓ１ｂの連通部には第１ダンパー３０が設置されている。第１ダンパー３０は実線で示す閉位置と２点鎖線で示す開位置との間で回動し、下層屋根裏空間Ｓ１ｂから上層屋根裏空間Ｓ１ａへの空気の流れを許容し、逆方向の空気流れを阻止する逆止手段として作動する。下層屋根裏空間Ｓ１ｂの反第１ダンパー３０側は下部空間Ｓ２に連通し、連通部には第２ダンパー３１が設置されている。第２ダンパー３１は下部空間Ｓ２から下層屋根裏空間Ｓ１ｂへの空気流れを許容し、逆方向の空気流れを阻止する。下部空間Ｓ２の反第２ダンパー３１側に外気導入口２５が設けられている。
【００１７】
第１実施例に係る農芸用ビニールハウスの換気構造は以上の通りであって、換気ファン２４を稼働すると、図５に矢印で示すように外気導入口２５→下部空間Ｓ２→第２ダンパー３１→下層屋根裏空間Ｓ１ｂ→第１ダンパー３０→上層屋根裏空間Ｓ１ａ→換気ファン２４→ハウス外部という空気の流れが生ずる。そして、第１ダンパー３０と第２ダンパー３１を配設したので、換気ファン２４の停止時に屋根裏空間Ｓ１ａ，Ｓ１ｂの熱気が下部空間へ流入するのを防止できる。このため、農芸用ビニールハウスの室温を場所むらもなく均等に低下させることができる。
【００１８】
また、本実施例では図３及び図５に示すように、梁パイプ１９，２０や縦パイプ１５にフック部１９ｃとプレート部１９ｄ，１９ｅを形成したので、ビニールシート２９を交差部分に張設するとき可及的に隙間を小さくでき、ビニールシートによる密閉性が良い。さらに、プレート部１９ｄ，１９ｅにはネジ穴と貫通穴を両方設けたので、プレートの上下どちら側からでもビスｈの締め付け作業が可能となり、組立作業が容易になる。
【実施例２】
【００１９】
前述した第１実施例に係る農芸用ビニールハウスでは、屋根裏空間Ｓ１を上層屋根裏空間Ｓ１ａと下層屋根裏空間Ｓ１ｂに区画し、図５の矢印に示すようにＺ形の空気の流れをハウス室内に生じるように構成したが、図６及び図７に示す第２実施例に係る農芸用ビニールハウスでは、長尺第１梁パイプ１９ｂと長尺第２梁パイプ２０ｂに張設したビニールシート２９を省略し、第３梁パイプ２１と第４梁パイプ２２にだけビニールシート２８を張設し、ハウス室内を屋根裏空間Ｓ１と下部空間Ｓ２の２層に区画している。そして、屋根裏空間Ｓ１と下部空間Ｓ２との連通部にダンパー３３を配置し、換気ファン２４と同じ面に外気導入口２５を設けている。
【００２０】
第２実施例に係る農芸用ビニールハウスでは、外気導入口２５→下部空間Ｓ２→ダンパー３３→屋根裏空間Ｓ１→換気ファン２４→ハウス室外という空気の流れが生じ、ハウス室内の熱気が排出され、室温が均等に低下する。
【００２１】
上記実施例１及び２に係る農芸用ビニールハウスでは、背面中央下部に外気導入口２５を設けたが、導入口２５の設置位置は背面の中央下部に限定されるものではなく、換気ファン２４で吸引される外気が下部空間Ｓ２の一側から他側へと流れ、下部空間Ｓ２において空気の流れがほとんど生じないよどみ空間が可及的に少なくなる位置であれば、背面の左右であったり、側面の背面側でも良い。
また、下部空間Ｓ２から屋根裏空間Ｓ１ａ，Ｓ１ｂ，Ｓ１への空気の流れを許容し逆方向の空気の流れを阻止する逆止手段としてダンパー３０，３１，３３を設けたが、ファン２４に近接してシャッターを設け、ファン２４の稼働によりこのシャッターが開き、ファン２４の停止時にはシャッターが閉じるようにしても実施例１，２におけるダンパー３０，３１，３３と同じ作用効果を奏することができる。
【図面の簡単な説明】
【００２２】
【図１】本発明の第１実施例に係る換気構造を備えた農芸用ビニールハウスを示す斜視図である。
【図２】同農芸用ビニールハウスを示す断面図である。
【図３】同農芸用ビニールハウスの骨格を構成するパイプの連結構造を示す斜視図である。
【図４】同農芸用ビニールハウスの骨格を構成するパイプの連結構造を示す正面図である。
【図５】同農芸用ビニールハウスの換気構造を模式的に示す説明図である。
【図６】本発明の第２実施例に係る換気構造を備えた農芸用ビニールハウスを示す断面図である。
【図７】同農芸用ビニールハウスの換気構造を模式的に示す説明図である
【符号の説明】
【００２３】
１０…農芸用ビニールハウス、Ｓ１…屋根裏空間、Ｓ１ａ…上層屋根裏空間、Ｓ１ｂ…下層屋根裏空間、Ｓ２…下部空間、２４…換気ファン、２５…外気導入口、２７，２８，２９…ビニールシート、３０，３１，３３…ダンパー。
【図１】
2007189941.tif 000003
【図２】
2007189941.tif 000004
【図３】
2007189941.tif 000005
【図４】
2007189941.tif 000006
【図５】
2007189941.tif 000007
【図６】
2007189941.tif 000008
【図７】
2007189941.tif 000009